(57)【特許請求の範囲】
【請求項１】
ともに地中に埋設されるアンカと筒状体とからなり、
前記アンカは、先細りの軸部の外周に螺旋状の掘削刃を、前記軸部の後端部にフランジを、そのフランジから前記軸部の軸心上をその軸部と反対方向に突出する結合部を一体に有するものであり、
前記筒状体は、上方に開口して電柱等の柱状物の下部を挿入するための空間を有するとともに、下端部に中央に前記アンカの結合部を貫通するための孔が形成された底部を有するものであり、
前記アンカの螺旋状の掘削刃の最大径及び前記フランジの径は、いずれも前記柱状物の下部の径よりも大きく設定されており、
前記筒状体の底部の孔に貫通した前記アンカの結合部に、穴掘建柱車等の回転しながら押下する装置の回転工具を分離可能に結合することができること、
を特徴とする柱状物立設装置。
【請求項２】
アンカの結合部に穴掘建柱車等の回転しながら押下する装置の回転工具を結合する工程、
そのアンカの先端を柱状物の立設位置における地面に向けて、前記穴掘建柱車等の回転しながら押下する装置により前記アンカを回転押入して地中に進入させる工程、
前記回転工具を前記アンカから取り外す工程、
前記アンカのフランジに筒状体を載置し、その筒状体の底部の孔に貫通させた前記アンカの結合部に前記回転工具を再び結合する工程、
前記穴掘建柱車等の回転しながら押下する装置により前記アンカを回転押入して、前記筒状体を地中に進入させる工程、
前記回転工具を前記アンカから取り外す工程、
前記筒状体の空間に電柱等の柱状物の下部を挿入する工程、
からなる柱状物立設方法。
【発明の詳細な説明】
【０００１】
【発明の属する技術分野】
本発明は、電柱等の柱状物を地中に立設するために用いる装置及び方法に関する。
【０００２】
【従来の技術】
従来、電柱等の柱状物（以下、代表的に電柱という場合がある。）を地面に立設するには、電柱の立設箇所の地面に穴掘建柱車により穴を掘り、その穴の中に電柱の下部（基部）を挿入して行われている。
【０００３】
【発明が解決しようとする課題】
しかしながら、上記従来技術では、地面に穴を掘り、その穴に電柱の下部を挿入して立設するため、地質によっては、立設された電柱が不安定になることがあった。また、電柱の取替えの必要が生じたときは、その都度、穴を掘り返さなければならなかった。
【０００４】
そこで、本発明は、上記欠点を解決するためになされたものである。すなわち、その第１の目的は、立設された電柱の安定性を高めるとともに、電柱の交換が容易にできる柱状物立設装置を提供することにある。また、第２の目的は、安定性の高い電柱の立設を容易に行うことができる柱状物立設方法を提供することにある。
【０００５】
【課題を解決するための手段】
上記第１の目的を達成するために、請求項１の発明に係る柱状物立設装置は、（ａ）ともに地中に埋設されるアンカと筒状体とからなり、（ｂ）前記アンカは、先細りの軸部の外周に螺旋状の掘削刃を、前記軸部の後端部にフランジを、そのフランジから前記軸部の軸心上をその軸部と反対方向に突出する結合部を一体に有するものであり、（ｃ）前記筒状体は、上方に開口して電柱等の柱状物の下部を挿入するための空間を有するとともに、下端部に中央に前記アンカの結合部を貫通するための孔が形成された底部を有するものであり、（ｄ）前記アンカの螺旋状の掘削刃の最大径及び前記フランジの径は、いずれも前記柱状物の下部の径よりも大きく設定されており、（ｅ）前記筒状体の底部の孔に貫通した前記アンカの結合部に、穴掘建柱車等の回転しながら押下する装置の回転工具を分離可能に結合することができることを特徴としている。
また、上記第２の目的を達成するために、請求項２の発明に係る柱状物立設方法は、（ｓ１）アンカの結合部に穴掘建柱車等の回転しながら押下する装置の回転工具を結合する工程、（ｓ２）そのアンカの先端を柱状物の立設位置における地面に向けて、前記穴掘建柱車等の回転しながら押下する装置により前記アンカを回転押入して地中に進入させる工程、（ｓ３）前記回転工具を前記アンカから取り外す工程、（ｓ４）前記アンカのフランジに筒状体を載置し、その筒状体の底部の孔に貫通させた前記アンカの結合部に前記回転工具を再び結合する工程、（ｓ５）前記穴掘建柱車等の回転しながら押下する装置により前記アンカを回転押入して、前記筒状体を地中に進入させる工程、（ｓ６）前記回転工具を前記アンカから取り外す工程、（ｓ７）前記筒状体の空間に電柱等の柱状物の下部を挿入する工程からなることを特徴としている。
【０００６】
【発明の実施の形態】
以下、本発明の実施の形態を図面に基づいて説明する。図１は、一実施の形態に係る柱状物立設装置の一部を断面で示した正面図、図２は、その分解斜視図である。図１中、１は、本発明の柱状物に当る電線や電話線を張設するためのコンクリート製の電柱であって、所定の長さ（高さ）を有し、本発明に係る柱状物立設装置を用いて地面Ｇに立設されている。
【０００７】
図中、１０はアンカであって、鋳鉄製からなり、先端側ほど細くなる（先細りの）軸部１１の周囲に螺旋状の掘削刃１２が所定の間隔を保って複数個（図示の例では３個）設けられている。これら掘削刃１２，１２…のうち、最も大きな掘削刃１２の直径は、電柱１の直径よりも少し大きい。そして、その軸部１１の後端部（上端部）には、電柱１の太さよりも少し大きい径のフランジ１３が設けられているとともに、そのフランジ１３の上側中央部には、軸部１１の軸心上に軸部１１の先端側と反対方向に突出する角柱部１４が設けられている。この角柱部１４は、アンカ１０を地面Ｇに埋設するときに穴掘建柱車の回転工具ａ（図２参照）を結合するためのものであり、特許請求の範囲における結合部に相当する。
【０００８】
上記アンカ１０の先端部には、硬質の地面Ｇにも対処できるように、超硬金属からなるドリル部を設けることもでき、また、掘削刃１２の外周を尖鋭に形成するようにしてもよい。また、軸部１１の長さ及び掘削刃１２の個数は、地面Ｇの性状によって適宜決めることができる。
【０００９】
図中、２０は、鋼製の上部開口，下部有底の筒状体であって、その筒状体２０の内部の空間は、電柱の下部を挿入できる大きさに形成されている。そして、この筒状体２０の長さ（長手方向の長さ）は、電柱１を地面Ｇに埋設する深さとほぼ等しい、通常、２ｍの長さに形成されている。この筒状体２０の底には、アンカ１０の角柱部１４が貫通する孔２１が設けられている。
【００１０】
以下、上記構成からなる柱状物立設装置の施工手順について説明する。先ず、図示しない穴掘建柱車の回転部の先端に、図２に示される棒状の回転工具ａの先端部が装着されている。そして、回転工具ａの下端に設けられている角穴ａ′に、アンカ１０の角柱部１４を挿入し、図示しないピンを回転工具ａ及び角柱部１４に設けられている貫通孔に貫通させて、回転工具ａとアンカ１０とを結合する。
【００１１】
次いで、アンカ１０の先端を電柱１を立設する地面Ｇの所定の位置に合わせる。そして、そのアンカ１０を穴掘建柱車の回転部で押下しながら回転させて、アンカ１０の螺旋状の掘削刃により地中を掘削させながら、アンカ１０を地面Ｇに進入させる。螺旋状の掘削刃は、先端側から後端側にかけて外径が漸増する構造を有するため、容易に掘削して進入する。アンカ１０のフランジ１３が地面Ｇとほぼ同一になったところで、一旦、アンカ１０の回転を中止し、ピンを抜いて回転工具ａをアンカ１０から取り外す。この状態において、アンカ１０は、フランジ１３よりも下側の部分が地中にあるので、地面Ｇに対して十分に安定した状態で保持されている。
【００１２】
このアンカ１０のフランジ１３の上に、筒状体２０を載置し、その筒状体２０の底部に設けられている孔２１にアンカ１０の角柱部１４を貫通させ、筒状体２０の底部から上方に突出させる。その角柱部１４を、回転工具ａの下端に設けられている角穴ａ′に嵌合させる。そして、アンカ１０を穴掘建柱車の回転部で押下しながら回転させて、アンカ１０及び筒状体２０をともに、地中へ進入させる。
このとき、アンカの螺旋状の掘削刃１２の最大径及びフランジ１３の外径が電柱の下部の外径よりも少し大きい、すなわち、筒状体２０の外径とほぼ等しいので、筒状体２０が地面の抵抗を受けることなく、アンカとともに容易に地中に進入できる特長がある。
この穴掘建柱車の回転部の押下回転により、筒状体２０の上端位置が地面Ｇより少し低い位置まで嵌入されたときに、穴掘建柱車の回転部の回転を停止する。引き続き、回転工具ａを筒状体２０の内部（角柱部１４）から抜き取る。その後、筒状体２０に電柱１の下部を挿入すると、電柱１の立設が終了する。
【００１３】
上述のように、筒状体２０の下側には、電柱１の下部の径よりも大きい径のフランジを有するアンカ１０が埋設されているので、筒状体２０の支持安定性が高く、従って、その筒状体に挿入される電柱１の下部を強固に支持することができる。また、アンカの埋設に伴って地面に形成された穴の内壁は、筒状体２０で保護されているので、電柱１の立設される土質の影響を受けずに電柱１を容易に立設することができるとともに、電柱１の交換も、穴の掘り返しを必要とせずに、容易に行うことができる特長がある。
【００１４】
なお、上述の例では、電柱１は、電線や電話線用としたが、信号機用の電柱や道路標識等のポール等であってもよい。
【００１５】
【発明の効果】
請求項１の発明によれば、アンカの螺旋状の掘削刃の最大径及びフランジの径は、いずれも柱状物の下部の径よりも少し大きく設定されているので、筒状体が地面の抵抗を受けることなく、アンカとともに容易に地中に進入できる。また、埋設されたアンカは、螺旋状の掘削刃とフランジにより地中に支持されるので、地中に対する支持強度が大きく、埋設された筒状体は、その底部が柱状物の下部の径よりも少し大きい径のフランジに載置され、その底部に設けてある孔に角柱部が貫通されているので、支持安定性が高い。従って、柱状物が大きい支持強度と安定性を持って立設される。また、柱状物の交換も容易に行うことができる。
【００１６】
請求項２の発明によれば、アンカのみを回転工具に結合して、そのフランジが地面とほぼ同一になるまで進入させる前半の作業をした後、このアンカに筒状体を載置して、同一の回転工具を用いて、アンカと筒状体とを一緒に所定深さまで進入させる後半の作業を行うので、前半及び後半の作業をそれぞれ能率的に行うことができる。
【図面の簡単な説明】
【図１】  本発明の一実施の形態に係る柱状物構造の一部を断面で示した正面図である。
【図２】  アンカ及び筒状体の斜視図である。
【符号の説明】
１    電柱（柱状物）
１０  アンカ
１１  軸部
１２  掘削刃
１３  フランジ
１４  角柱部（結合部）
ａ    回転工具
２０  筒状体
Ｇ    地面
【図１】
0004132969.tif 000002
【図２】
0004132969.tif 000003